(57)【要約】【課題】下側蓋部材の上面に載置された物が下側蓋部材と上側蓋部材との上下方向の隙間に挟まるのを確実に防止することが可能なスライド蓋構造を提供する。【解決手段】スライド蓋構造は、上側蓋部材が収納体の蓋体として水平なスライド方向へスライド移動することにより、互いに上下方向に重なり合う開位置と、上下方向の重なり合いが解除される閉位置と、の間で相対位置関係が変化する上側蓋部材及び下側蓋部材を備える。下側蓋部材は、上面に凸部と凹部とがスライド方向に直交する水平な幅方向に交互に連続して形成された下側櫛歯部と、上面に物を載置可能に形成された載置部と、を有する。上側蓋部材は、下面に凸部と凹部とが幅方向Ｘに交互に連続して形成された、下側櫛歯部に係合可能な上側櫛歯部と、スライド方向の端部に面がスライド方向に対して斜め上方に向くように鋭角に形成された斜面部と、を有する。【選択図】図２
2019156409.tif 000002
【特許請求の範囲】
【請求項１】
少なくとも一方が収納体の蓋体として水平なスライド方向へスライド移動することにより、両者が互いに上下方向に重なり合う開位置と、前記開位置から両者の上下方向の重なり合いが解除される方向に離れた閉位置と、の間で相対位置関係が変化する上側蓋部材及び下側蓋部材を備えるスライド蓋構造であって、
前記下側蓋部材は、上面に上方に突出する下側上方凸部と下方に凹んだ下側下方凹部とが前記スライド方向に直交する水平な幅方向に交互に形成された下側櫛歯部と、上面に物を載置可能に形成された載置部と、を有し、
前記上側蓋部材は、下面に下方に突出する上側下方凸部と上方に凹んだ上側上方凹部とが前記幅方向に交互に形成された、前記下側櫛歯部に係合可能な上側櫛歯部と、前記スライド方向の端部に面が前記スライド方向に対して斜め上方に向くように鋭角に形成された斜面部と、を有する、スライド蓋構造。
【請求項２】
前記載置部の高さ位置は、前記上側下方凸部における下方に向いた下端面の高さ位置よりも上方である、請求項１に記載されたスライド蓋構造。
【請求項３】
前記下側下方凹部における前記幅方向の幅寸法及び前記上側上方凹部における前記幅方向の幅寸法はそれぞれ、前記物として対象となる対象物の最小幅寸法に比して小さい、請求項１又は２に記載されたスライド蓋構造。
【請求項４】
前記下側櫛歯部は、前記下側上方凸部及び前記下側下方凹部それぞれが前記スライド方向に直線状に延びるように形成されており、
前記載置部は、前記下側上方凸部における上方に向いた上端面により形成されている、請求項１乃至３のいずれか一項に記載されたスライド蓋構造。
【請求項５】
前記上側下方凸部は、前記上側蓋部材の水平に広がる水平基部の、前記スライド方向の端側の下面から、下方に突出するように形成されている、請求項１乃至４のいずれか一項に記載されたスライド蓋構造。
【請求項６】
前記斜面部の下端部は、前記上側下方凸部の少なくとも一部により形成されており、
前記斜面部の下端の高さ位置は、前記載置部の高さ位置よりも下方である、請求項１乃至５のいずれか一項に記載されたスライド蓋構造。
【発明の詳細な説明】
【技術分野】
【０００１】
本発明は、スライド蓋構造に関する。
【背景技術】
【０００２】
従来、車両などに搭載されるコンソールボックスなどの収納体のスライド蓋構造が知られている（例えば、特許文献１）。収納体は、箱状の収納本体と、その収納本体の上部開口を開閉する蓋体と、を備えている。蓋体は、収納体の前後方向に整列可能な複数の蓋部材からなる。蓋部材は、収納体に対して収納体の前後方向にスライド移動可能であり、他の蓋部材に対して上方向又は下方向に重なり合うことが可能である。これにより、収納体のスライド蓋構造を実現することができる。以下、上下方向の重なり合いが生じる開時に下側に位置する蓋部材を下側蓋部材と、その開時に上側に位置する蓋部材を上側蓋部材と、それぞれ称す。
【先行技術文献】
【特許文献】
【０００３】
【特許文献１】特許第４０５０５３９号公報
【発明の概要】
【発明が解決しようとする課題】
【０００４】
ところで、下側蓋部材と上側蓋部材とが互いに上下方向に重なり合っていない閉状態において、下側蓋部材の上面に、携帯電話やカード類，コインなどが載置されることがある。一方、下側蓋部材と上側蓋部材とが互いに上下方向に重なり合う開状態では、下側蓋部材の上方に隙間を空けて上側蓋部材が位置する。スライド蓋構造の開閉動作不良を予防するためには、閉時に下側蓋部材の上面に載置された物が開時に上記の隙間に挟まれるのを防ぐことが必要である。
【０００５】
しかしながら、上記特許文献１記載のスライド蓋構造において、各蓋部材はそれぞれ、平面状に形成されており、開時に互いに対向する面（すなわち、下側蓋部材の上面及び上側蓋部材の下面）はそれぞれ、水平に広がるように形成された板面である。このため、このスライド蓋構造では、閉時に下側蓋部材の上面に載置された物が開時に隙間に挟まれるのを有効に防止することができず、開閉動作不良が起こる可能性が大きい。
【０００６】
本発明は、このような点に鑑みてなされたものであり、下側蓋部材の上面に載置された物が下側蓋部材と上側蓋部材との上下方向の隙間に挟まるのを確実に防止することが可能なスライド蓋構造を提供することを目的とする。
【課題を解決するための手段】
【０００７】
本発明は、少なくとも一方が収納体の蓋体として水平なスライド方向へスライド移動することにより、互いに上下方向に重なり合う開位置と、上下方向の重なり合いが解除される閉位置と、の間で相対位置関係が変化する上側蓋部材及び下側蓋部材を備えるスライド蓋構造であって、前記下側蓋部材は、上面に上方に突出する下側上方凸部と下方に凹んだ下側下方凹部とが前記スライド方向に直交する水平な幅方向に交互に連続して形成された下側櫛歯部と、上面に物を載置可能に形成された載置部と、を有し、前記上側蓋部材は、下面に下方に突出する上側下方凸部と上方に凹んだ上側上方凹部とが前記幅方向に交互に連続して形成された、前記下側櫛歯部に係合可能な上側櫛歯部と、前記スライド方向の端部に面が前記スライド方向に対して斜め上方に向くように鋭角に形成された斜面部と、を有する、スライド蓋構造である。
【０００８】
この構成によれば、上側蓋部材と下側蓋部材とが互いに上下方向に重なり合うためのスライド移動時、上側蓋部材の斜面部により、下側蓋部材の載置部に載置された対象物が、相対的に上側蓋部材のスライド方向の端部に達した際に上蓋部材の上面に乗り上げ易くなる。また、上側蓋部材及び下側蓋部材がそれぞれ、凸部と凹部とが幅方向に交互に形成された櫛歯部を有し、両櫛歯部同士を係合させるものであるので、下側蓋部材の上面の載置部に載置された対象物が上側蓋部材の端部に達した際にその上側蓋部材の櫛歯部の凸部の端面に当接し易く、上側蓋部材と下側蓋部材との隙間に入り込み難い。従って、下側蓋部材の上面上の対象物が上側蓋部材と下側蓋部材との上下方向の隙間に挟まるのを確実に防止することができる。
【図面の簡単な説明】
【０００９】
【図１】一実施形態に係るスライド蓋構造が適用される収納体の断面図である。
【図２】実施形態の収納体が備える蓋体の斜視図である。
【図３】実施形態の蓋体を図２に示すIII−IIIで切断した際の断面図である。
【図４】実施形態の開位置での蓋体を側方から見た際の断面図である。
【図５】実施形態の閉位置での蓋体を側方から見た際の断面図である。
【図６】実施形態のスライド蓋構造の拡大断面図である。
【図７】一変形形態に係るスライド蓋構造が適用される収納体が備える蓋体の斜視図である。
【図８】一変形形態に係るスライド蓋構造が適用される収納体が備える蓋体の要部の拡大断面図である。
【発明を実施するための形態】
【００１０】
以下、図面を用いて、本発明に係るスライド蓋構造の具体的な実施形態について説明する。
【００１１】
一実施形態のスライド蓋構造１は、例えば車両の車内に配置されるセンタコンソールボックスなどの収納体２に適用される構造である。図１に示す如く、収納体２は、収納本体１０と、蓋体２０と、を備えている。
【００１２】
収納本体１０は、直方体などの箱状に形成されている。収納本体１０は、例えば樹脂素材により形成されている。収納本体１０は、例えば車両の前後方向に延びている。収納本体１０は、物を収納するための内部空間１１を有している。内部空間１１は、収納本体１０の略全体に亘って広がっている。収納本体１０は、上面に開口する上部開口１２を有している。上部開口１２は、略四角状に形成されており、略水平に広がっている。内部空間１１は、上部開口１２を介して外部に連通可能である。
【００１３】
蓋体２０は、収納本体１０の上部開口１２を開閉する開閉部材である。また、蓋体２０は、上面に例えば携帯電話や財布，カード類，コインなどの物を載置可能なトレイ部材である。蓋体２０は、図２に示す如く、略四角板状に形成されている。蓋体２０は、略水平に配置されている。蓋体２０は、二つに分かれた蓋部材３０，４０を備えている。蓋部材３０，４０は、収納本体１０の上部に内部空間１１の上部を閉じるように配置されている。
【００１４】
蓋部材３０，４０は、蓋部材３０，４０の少なくとも何れか一方が水平な方向Ｙへスライド移動することにより相対位置関係が変化する関係にある。尚、以下、蓋部材３０が収納本体１０の上部に取り付け固定されており、蓋部材４０がその蓋部材３０及び収納本体１０に対してスライド移動するものとする。また、上記の水平な方向Ｙをスライド方向Ｙと称すると共に、スライド方向Ｙに直交する水平な方向を幅方向Ｘと、スライド方向Ｙ及び幅方向Ｘの双方に直交する方向を上下方向Ｚと、それぞれ称す。
【００１５】
収納体２は、図４に示す如く二つの蓋部材３０，４０が互いに上下方向に重なり合うときに収納本体１０の上部開口１２が開いた状態となり、図５に示す如く二つの蓋部材３０，４０の上下方向の重なり合いが解除されたときに収納本体１０の上部開口１２が閉まった状態となる。以下、蓋部材３０，４０が互いに上下方向に重なり合う位置をスライド蓋構造１の開位置と、その開位置から蓋部材３０，４０の上下方向の重なり合いが解除されるスライド方向Ｙに離れた位置をスライド蓋構造１の閉位置と、それぞれ称す。蓋部材３０，４０の相対位置関係は、開位置と閉位置との間で変化し得る。
【００１６】
蓋部材３０，４０はそれぞれ、略四角板状に形成されている。蓋部材３０，４０はそれぞれ、略水平に配置されている。蓋部材３０，４０はそれぞれ、樹脂などにより成形されている。蓋部材３０，４０は、スライド蓋構造１の開位置で水平面略全域が互いに上下方向に重なり合った状態で蓋部材３０が下方に位置しかつ蓋部材４０がその蓋部材３０に対して上方に位置するように配置される。尚、蓋部材３０，４０は、スライド蓋構造１の閉位置で水平面の一端部のみが互いに上下方向に重なり合うように配置されていてよい。以下、適宜、蓋部材３０を下側蓋部材３０と、蓋部材４０を上側蓋部材４０と、それぞれ称す。また、スライド蓋構造１の閉位置では、上側蓋部材４０が下側蓋部材３０に対して車両前方側に位置するように配置されるものとする。
【００１７】
下側蓋部材３０は、下部部品３１と、上部部品３２と、を有している。下部部品３１及び上部部品３２はそれぞれ、略板状に形成されている。下側蓋部材３０は、下部部品３１と上部部品３２とが互いに嵌合などにより板面同士を隙間を空けて対向させた状態で固定された構造をなしている。下部部品３１及び上部部品３２はそれぞれ、図３に示す如く、複数の補強用のリブ３１ａ，３２ａなどを有している。リブ３１ａは、下部部品３１における上部部品３２との対向面（すなわち上面）に上部部品３２側の垂直方向（すなわち上方向）に突出するように設けられている。リブ３２ａは、上部部品３２における下部部品３１との対向面（すなわち下面）に下部部品３１側の垂直方向（すなわち下方向）に突出するように設けられている。
【００１８】
下側蓋部材３０（具体的には、下部部品３１）は、その下面が略水平な平面をなすように形成されている。また、下側蓋部材３０（具体的には、上部部品３２）は、その上面に設けられた載置部３３を有している。載置部３３は、例えば携帯電話や財布，カード類，コインなどの所定以上の大きさを有する物（以下、対象物５０と称す。）を載置可能に形成された部位である。載置部３３は、全体として概ね略水平な平面をなすように形成されている。下側蓋部材３０（具体的には、上部部品３２）は、更に、その上面に設けられた櫛歯部３４を有している。以下、櫛歯部３４を下側櫛歯部３４と称す。
【００１９】
下側櫛歯部３４は、上部部品３２の上面に上下方向Ｚの凹凸が幅方向Ｘに連続して形成された部位である。下側櫛歯部３４は、上部部品３２における車両前方側のスライド方向Ｙ（以下、これを前側スライド方向Ｙｆと称す。）側の端部と車両後方側のスライド方向Ｙ（以下、これを後側スライド方向Ｙｂと称す。）側の端部との間の略全域に亘ってスライド方向Ｙに延びている。すなわち、下側蓋部材３０の上部部品３２は、上下方向Ｚの凹凸が幅方向Ｘに連続した形状を有している。
【００２０】
下側櫛歯部３４は、凸部３５と、凹部３６と、を有している。凸部３５は、凹部３６に対して上方に突出するように設けられている。凸部３５における上方に向いた上端面３５Ｕは、略水平な平面である。凹部３６は、凸部３５に対して下方に凹むように設けられている。凹部３６における底面３６Ｂは、略水平な平面である。
【００２１】
凸部３５と凹部３６とは、幅方向Ｘに交互に形成されている。凸部３５及び凹部３６はそれぞれ、スライド方向Ｙに直線状に延びている。凸部３５及び凹部３６は、幅方向Ｘに交互に並んでそれぞれ複数本（例えば、凹部３６の本数が１０本である。）設けられている。複数本の凸部３５の上端面３５Ｕ同士は、略同じ高さに位置しており、略面一をなしている。上記した載置部３３は、幅方向Ｘに凹部３６を挟んで並んだ複数本の凸部３５の上端面３５Ｕにより形成されている。また、複数本の凹部３６の底面３６Ｂ同士は、略同じ高さに位置している。
【００２２】
上側蓋部材４０は、下部部品４１と、上部部品４２と、を有している。下部部品４１及び上部部品４２はそれぞれ、略板状に形成されている。上側蓋部材４０は、下部部品４１と上部部品４２とが互いに嵌合などにより板面同士を隙間を空けて対向させた状態で固定された構造をなしている。尚、下部部品４１及び上部部品４２はそれぞれ、補強用のリブなどを有していてもよい。
【００２３】
上側蓋部材４０（具体的には、上部部品４２）は、その上面が略水平な平面をなすように形成されている。また、上部部品４２は、その上面に設けられた載置部４３を有している。載置部４３は、全域に亘って略水平な平面をなす部位である。尚、載置部４３は、例えば上記した対象物５０やその対象物５０の大きさよりも小さな物を載置可能に平板状又は網状に形成されていてよい。また、上部部品４２は、載置部４３に載置された物が外部へ飛び出さないように載置部４３の周囲を囲んだ枠状部を有していてよい。上側蓋部材４０（具体的には、下部部品４１）は、水平基部４４と、その水平基部４４の下面に設けられた櫛歯部４５を有している。以下、櫛歯部４５を上側櫛歯部４５と称す。
【００２４】
水平基部４４は、上側蓋部材４０の基材をなす水平に広がる部位である。上側櫛歯部４５は、水平基部４４の下面における後側スライド方向Ｙｂ側の端部に設けられている。上側櫛歯部４５は、水平基部４４の後側スライド方向Ｙｂ側の下面に上下方向Ｚの凹凸が幅方向Ｘに連続して形成された部位である。すなわち、上側蓋部材４０の下部部品４１は、水平基部４４の後側スライド方向Ｙｂ側の端部において上下方向の凹凸が幅方向Ｘに連続した形状を有している。
【００２５】
上側櫛歯部４５は、下側櫛歯部３４と対をなす部位である。上側櫛歯部４５は、下側蓋部材３０の下側櫛歯部３４に合致した形状を有しており、下側櫛歯部３４に係合可能である。上側櫛歯部４５は、凸部４６と、凹部４７と、を有している。凸部４６は、凹部４７に対して下方に突出するように設けられている。凸部４６は、下側櫛歯部３４の凹部３６に係合可能に形成されている。凸部４６における下方に向いた下端面４６Ｄは、略水平な平面である。凹部４７は、凸部４６に対して上方に凹むように設けられている。凹部４７は、下側櫛歯部３４の凸部３５に係合可能に形成されている。凹部４７における底面４７Ｂは、略水平な平面である。尚、凹部４７は、水平基部４４の下面であってもよい。
【００２６】
凸部４６と凹部４７とは、幅方向Ｘに交互に連続して形成されている。凸部４６及び凹部４７はそれぞれ、スライド方向Ｙに直線状に延びている。凸部４６及び凹部４７は、幅方向Ｘに交互に並んでそれぞれ複数本（例えば、凸部４６の本数が１０本である。）設けられている。凸部４６は、下側蓋部材３０の凹部３６と対をなしている。凹部４７は、下側蓋部材３０の凸部３５と対をなしている。
【００２７】
尚、スライド蓋構造１は、閉位置から下側蓋部材３０に対する上側蓋部材４０の前側スライド方向Ｙｆへのスライド移動を規制するストッパ機構を備えていてよい。このストッパ機構は、例えば、上側蓋部材４０が下側蓋部材３０に対して前側スライド方向Ｙｆへスライド移動したときに、下側蓋部材３０の凹部３６に対して前側スライド方向Ｙｆ側において上方へ立設する側壁に上側蓋部材４０の凸部４６の前側スライド方向Ｙｆに向いた端面が当接することにより、上記のスライド移動を規制するものである。このストッパ機構によれば、スライド蓋構造１の閉位置への閉動作時に、上側蓋部材４０が下側蓋部材３０に対して前側スライド方向Ｙｆ側に抜けて飛び出るのが防止される。
【００２８】
上側蓋部材４０における凸部４６の本数は、下側蓋部材３０における凹部３６の本数に一致している。また、上側蓋部材４０における凹部４７の本数は、下側蓋部材３０における凸部３５の本数に一致している。複数本の凸部４６の下端面４６Ｄ同士は、略同じ高さに位置しており、略面一をなしている。複数本の凹部４７の底面４７Ｂ同士は、下側蓋部材３０の凸部３５の上端面３５Ｕの面一に合わせて、略同じ高さに位置している。
【００２９】
スライド蓋構造１の開位置では、上側蓋部材４０が下側蓋部材３０に対して上方に位置するように配置される。図６に示す如く、上側蓋部材４０における凸部４６の下端面４６Ｄの高さ位置ＴＵＬは、下側蓋部材３０における凹部３６の底面３６Ｂの高さ位置ＴＤＬよりも上方である。上側蓋部材４０における凹部４７の底面４７Ｂの高さ位置ＴＵＨは、下側蓋部材３０における凸部３５の上端面３５Ｕの高さ位置ＴＤＨよりも上方である。また、下側蓋部材３０における凸部３５の上端面３５Ｕの高さ位置ＴＤＨ（すなわち、載置部３３の高さ位置）は、上側蓋部材４０における凸部４６の下端面４６Ｄの高さ位置ＴＵＬよりも上方である。
【００３０】
下側蓋部材３０の下側櫛歯部３４において、各凹部３６における幅方向Ｘの幅寸法ＷＤＬは、載置部３３に載置された対象物５０が凹部３６の溝内に落下して嵌り込むのを防止すべく、その対象物５０の最小幅寸法に比して小さく設定されている。この凹部３６の幅寸法ＷＤＬは、下側蓋部材３０と上側蓋部材４０とがスライド方向Ｙにスライド可能となるように、上側蓋部材４０の上側櫛歯部４５の凸部４６の幅方向Ｘの寸法ＷＵＬに比して僅かに大きく設定されている。具体的には、幅寸法ＷＤＬは、望ましくは４ｍｍ〜１２ｍｍであり、特に望ましくは５ｍｍ〜８ｍｍである。
【００３１】
また、上側蓋部材４０の上側櫛歯部４５において、各凹部４７における幅方向Ｘの幅寸法ＷＵＨは、載置部３３に載置された対象物５０が凹部４７（すなわち、互いに幅方向Ｘに隣接する凸部４６の間）をスライド方向Ｙに通過して上側蓋部材４０の下方に入り込むのを防止すべく、その対象物５０の最小幅寸法に比して小さく設定されている。この凹部４７の幅寸法ＷＵＨは、上側蓋部材４０と下側蓋部材３０とがスライド方向Ｙにスライド可能となるように、下側蓋部材３０の下側櫛歯部３４の凸部３５の幅方向Ｘの寸法ＷＤＨに比して僅かに大きく設定されている。具体的には、幅寸法ＷＵＨは、望ましくは４ｍｍ〜１２ｍｍであり、特に望ましくは５ｍｍ〜８ｍｍである。
【００３２】
上側蓋部材４０（具体的には、下部部品４１）は、更に、スライド方向Ｙに対して傾斜した斜面部４８を有している。斜面部４８は、上側蓋部材４０において後側スライド方向Ｙｂ側の端部に配置された上側櫛歯部４５の位置（具体的には、その上側櫛歯部４５の後側スライド方向Ｙｂ側の端位置）よりも更に後側スライド方向Ｙｂ側に設けられている。斜面部４８は、下部部品４１を構成し、水平基部４４及び上側櫛歯部４５と一体に成形されている。尚、斜面部４８は、上部部品４２を構成し、載置部４３と一体に成形されていてもよい。
【００３３】
斜面部４８は、後側スライド方向Ｙｂに対して斜め上方に向くように幅方向Ｘから見て鋭角（図１に示す角度α；０＜α＜９０°）に形成された面である。すなわち、斜面部４８は、後側スライド方向Ｙｂ側の端から前側スライド方向Ｙｆ側の部位にかけて徐々に位置が高くなるように形成されている。斜面部４８は、上側蓋部材４０における幅方向Ｘの全域に亘って設けられている。
【００３４】
尚、斜面部４８が水平に対してなす角度αは、下側蓋部材３０の載置部３３上に載置された対象物５０が、上側蓋部材４０の後側スライド方向Ｙｂ側の端面に引っ掛かることなく載置部４３へ移載可能になるように設定されていればよい。具体的には、角度αは、望ましくは３０°〜６０°であり、特に望ましくは４０°〜５０°である。また、斜面部４８の下端の高さ位置は、下側蓋部材３０の載置部３３上に載置された対象物５０が上側蓋部材４０の後側スライド方向Ｙｂ側の端部に引っ掛かることなく載置部４３に移載可能であれば、凹部４７の底面４７Ｂの高さ位置に一致していてよく、また、下側蓋部材３０の凸部３５の上端面３５Ｕすなわち載置部３３の高さ位置よりも上方であってよい。
【００３５】
上記スライド蓋構造１を有する収納体２においては、下側蓋部材３０と上側蓋部材４０との上下方向の重なり合いが解除されて両蓋部材３０，４０の水平方向位置がずれている閉位置では、上側蓋部材４０の上側櫛歯部４５が下側蓋部材３０の下側櫛歯部３４に係合しつつその下側櫛歯部３４の前側スライド方向Ｙｆの端部に位置している。かかる閉位置から上側蓋部材４０が使用者の操作により下側蓋部材３０に対して後側スライド方向Ｙｂにスライド移動されると、上側蓋部材４０の上側櫛歯部４５が下側蓋部材３０の下側櫛歯部３４との係合を維持しつつその下側櫛歯部３４に沿って直線状に後側スライド方向Ｙｂに移動する。そして、上側蓋部材４０の上側櫛歯部４５が下側蓋部材３０の下側櫛歯部３４との係合を維持しつつその下側櫛歯部３４の後側スライド方向Ｙｂ側の端部に達すると、下側蓋部材３０と上側蓋部材４０との水平面の略全域が互いに上下方向に重なり合う開位置が実現される。
【００３６】
このように、スライド蓋構造１は、上側蓋部材４０のスライド方向Ｙへの移動により、収納本体１０の上部開口１２を開閉する。そして、このスライド蓋構造１による上部開口１２の開閉は、下側蓋部材３０の下側櫛歯部３４と上側蓋部材４０の上側櫛歯部４５とが係合した状態で行われる。この係合は、下側櫛歯部３４の凸部３５と上側櫛歯部４５の凹部４７とが係合しかつ下側櫛歯部３４の凹部３６と上側櫛歯部４５の凸部４６とが係合したものである。
【００３７】
上記の如く、下側櫛歯部３４の凹部３６における幅方向Ｘの幅寸法ＷＤＬは、対象物５０の最小幅寸法に比して小さい。このため、下側蓋部材３０の上面の載置部３３に置かれた対象物５０が、下側櫛歯部３４の幅方向Ｘに隣接する二つの凸部３５の間に存在する凹部３６内に落下して嵌り込むのを防止することができる。
【００３８】
また、仮に下側蓋部材３０の載置部３３に対象物５０が載置された状態で上側蓋部材４０が後側スライド方向Ｙｂにスライド移動した場合、その上側蓋部材４０の後側スライド方向Ｙｂ側の端部がその対象物５０に接触することでその上側蓋部材４０のスライド移動が阻害される可能性がある。
【００３９】
これに対して、本実施形態においては、上側蓋部材４０が、後側スライド方向Ｙｂ側の端面に設けられた斜面部４８を有する。この斜面部４８は、後側スライド方向Ｙｂに対して斜め上方に向くように幅方向Ｘから見て鋭角に形成されており、後側スライド方向Ｙｂ側の端から前側スライド方向Ｙｆ側の部位にかけて徐々に位置が高くなるように形成されている。このため、上側蓋部材４０の後側スライド方向Ｙｂへのスライド移動時（開動作時）、下側蓋部材３０の載置部３３に載置された対象物５０が、相対的に上側蓋部材４０の後側スライド方向Ｙｂ側の端部に達した際に上記の斜面部４８に乗り上げ易くなる。従って、スライド蓋構造１の開動作時に、対象物５０が上側蓋部材４０の後側スライド方向Ｙｂ側の端部に引っ掛かるのを抑制することができ、その対象物５０を下側蓋部材３０の載置部３３から上側蓋部材４０の載置部４３へ移載することができる。
【００４０】
また仮に、開動作時、対象物５０が上側蓋部材４０の斜面部４８に乗り上げなかった場合、その対象物５０が上側蓋部材４０の斜面部４８の下端と下側蓋部材３０の載置部３３との上下方向Ｚの隙間に進入することがあり、この場合、上側蓋部材４０と下側蓋部材３０との間の上下方向Ｚの隙間に挟まり或いは更にその上下方向Ｚの空間内に進入する可能性がある。
【００４１】
これに対して、本実施形態においては、上側蓋部材４０が、斜面部４８が設けられた後側スライド方向Ｙｂ側の端位置よりも前側スライド方向Ｙｆ側に設けられた上側櫛歯部４５を有する。下側蓋部材３０の載置部３３の高さ位置ＴＤＨは、上側蓋部材４０の上側櫛歯部４５の凸部４６の下端面４６Ｄの高さ位置ＴＵＬよりも上方である。また、上側櫛歯部４５の凹部４７における幅方向Ｘの幅寸法ＷＵＨは、対象物５０の最小幅寸法に比して小さいので、凸部４６間の幅方向Ｘの幅寸法は、対象物５０の最小幅寸法に比して小さい。
【００４２】
このため、対象物５０が上側蓋部材４０と下側蓋部材３０との隙間に進入可能な上下方向Ｚの厚さに形成されている場合でも、載置部３３上の対象物５０が相対的に上側櫛歯部４５の後側スライド方向Ｙｂ側の端部に達した際にその上側櫛歯部４５の凸部４６の後側スライド方向Ｙｂ側の端面に必ず当接する。従って、スライド蓋構造１の開動作時に、下側蓋部材３０の載置部３３に載置された対象物５０が上側蓋部材４０の斜面部４８に乗り上げなかったときにも、その対象物５０が上側蓋部材４０と下側蓋部材３０との上下方向の隙間に挟まるのを確実に防止することができ、その対象物５０が更に上側蓋部材４０と下側蓋部材３０との上下方向Ｚの空間内に進入するのを確実に防止することができ、これにより、開動作の動作不良を予防することができる。
【００４３】
尚、上記の実施形態においては、下側蓋部材３０の下側櫛歯部３４の凸部３５が特許請求の範囲に記載した「下側上方凸部」に、下側蓋部材３０の下側櫛歯部３４の凹部３６が特許請求の範囲に記載した「下側下方凹部」に、上側蓋部材４０の上側櫛歯部４５の凸部４６が特許請求の範囲に記載した「上側下方凸部」に、上側蓋部材４０の上側櫛歯部４５の凹部４７が特許請求の範囲に記載した「上側上方凹部」に、それぞれ相当している。
【００４４】
ところで、上記の実施形態においては、上側蓋部材４０の上側櫛歯部４５が、水平に広がる上側蓋部材４０の基材である水平基部４４の下面において部分的（具体的には、後側スライド方向Ｙｂ側の端部のみ）に設けられている。しかしながら、本発明はこれに限定されるものではない。上側櫛歯部４５は、下側蓋部材３０の下側櫛歯部３４と同様に、水平基部４４の下面における略全域に亘って設けられ、凸部４６及び凹部４７それぞれがスライド方向Ｙに直線状に延びるように形成されていてもよい。
【００４５】
尚、上記の変形形態の構造において、下側蓋部材３０は、凹部３６の空間が前側スライド方向Ｙｆ側の外部に直接的に連通するように形成されていればよく、前側スライド方向Ｙｆ側の端部において上側蓋部材４０の凸部４６の前側スライド方向Ｙｆに向いた端面が当接する側壁を有することは不要である。但し、この変形形態の構造においては、スライド蓋構造１として、閉位置から下側蓋部材３０に対する上側蓋部材４０の前側スライド方向Ｙｆへのスライド移動を規制するストッパ機構を設けることが必要である。
【００４６】
また、上記の実施形態においては、上側蓋部材４０が、下面に形成された上側櫛歯部４５を有すると共に、その上側櫛歯部４５の位置よりも後側スライド方向Ｙｂ側に設けられた斜面部４８を有する。すなわち、上側蓋部材４０が、上側櫛歯部４５と斜面部４８とがそれぞれ独立した部位で構成された構造を有している。しかし、本発明はこれに限定されるものではない。例えば図７に示す如く、上側蓋部材４０は、上側櫛歯部４５と斜面部４８とが互いに同じ部位で構成された構造を有するものであってもよい。すなわち、斜面部４８の下端部が、上側櫛歯部４５の凸部４６の少なくとも一部により形成されており、その斜面部４８の下端の高さ位置ＴＳ（尚、この高さ位置ＴＳは、凸部４６の下端面４６Ｄの高さ位置ＴＵＬに一致してよい。）が、下側蓋部材３０の載置部３３の高さ位置ＴＤＨよりも下方であってもよい。
【００４７】
この変形形態においては、斜面部４８に、凸部４６と凹部４７とが幅方向Ｘに交互に形成された上側櫛歯部４５が設けられることとなる。また、上記の如く、上側櫛歯部４５の凹部４７における幅方向Ｘの幅寸法ＷＵＨは、対象物５０の最小幅寸法に比して小さいので、凸部４６間の幅方向Ｘの幅寸法は、対象物５０の最小幅寸法に比して小さい。このため、この変形形態によれば、下側蓋部材３０の載置部３３上の対象物５０が相対的に上側蓋部材４０の後側スライド方向Ｙｂ側の端部に達した際に上側櫛歯部４５の凸部４６の後側スライド方向Ｙｂ側の端面（すなわち、斜面部４８）に必ず当接する。従って、スライド蓋構造１の開動作時に、その対象物５０が上側蓋部材４０と下側蓋部材３０との上下方向Ｚの隙間に挟まるのを確実に防止することができ、その対象物５０が更にその上下方向Ｚの空間内に進入するのを確実に防止することができる。
【００４８】
また、この変形形態においては、上側蓋部材４０の斜面部４８が上側櫛歯部４５に設けられているので、スライド蓋構造１の開動作時に対象物５０が上側櫛歯部４５の凸部４６の後側スライド方向Ｙｂ側の端面（すなわち、斜面部４８）に当接した後、その対象物５０が確実に斜面部４８に乗り上げて載置部４３へ移載される。従って、下側蓋部材３０の載置部３３上の対象物５０が上側蓋部材４０と下側蓋部材３０との上下方向Ｚの隙間に挟まるのを確実に防止することができ、その対象物５０を上側蓋部材４０の載置部４３へ退避させることができるので、スライド蓋構造１の開動作の動作不良を確実に予防することができる。
【００４９】
更に、この変形形態においては、上側蓋部材４０の斜面部４８の下端の高さ位置ＴＳが、上側蓋部材４０の凸部４６の下端面４６Ｄの高さ位置ＴＵＬに一致してもよいし、図８に示す如く、上側蓋部材４０の凸部４６の下端面４６Ｄの高さ位置ＴＵＬよりも上方であってもよい。すなわち、上側蓋部材４０が、斜面部４８を有すると共に、その斜面部４８の下端に一体的に接続する端面４９を有していてもよい。この端面４９は、略水平方向に法線が向いた立設面であってよく、凸部４６を構成していればよい。
【００５０】
尚、本発明は、上述した実施形態や変形形態に限定されるものではなく、本発明の趣旨を逸脱しない範囲で種々の変更を施すことが可能である。
【符号の説明】
【００５１】
１：スライド蓋構造、２：収納体、１０：収納本体、１２：上部開口、２０：蓋体、３０：下側蓋部材、３３：載置部、３４：下側櫛歯部、３５：凸部、３５Ｕ：上端面、３６：凹部、３６Ｂ：底面、４０：上側蓋部材、４４：水平基部、４５：上側櫛歯部、４６：凸部、４６Ｄ：下端面、４７：凹部、４７Ｂ：底面、４８：斜面部、５０：対象物。
【図１】
2019156409.tif 000003
【図２】
2019156409.tif 000004
【図３】
2019156409.tif 000005
【図４】
2019156409.tif 000006
【図５】
2019156409.tif 000007
【図６】
2019156409.tif 000008
【図７】
2019156409.tif 000009
【図８】
2019156409.tif 000010